(57)【要約】【目的】実用性と趣味性を兼ね備えた下駄を提供する。【構成】金属製の本体と、木製又は樹脂製の歯とを有する下駄であって、金属製の本体１３は、足で踏む踏み面１１を有するとともに、その周囲に垂れ下がる縁１２を持つ半殻構造を有しており、かつまた、チタン又はアルミニウム又はマグネシウム若しくはその合金類を素材とする軽量なもので、表面に、金属素材を加工して形成した模様を有しており、また木製又は樹脂製の歯１８は、金属製の本体１３に取り付けるか或いは金属製の本体１３に結合する板部１７に取り付けた構成を有する。【選択図】        図１
2004215995.tif 000002
【特許請求の範囲】
【請求項１】
金属製の本体と、木製又は樹脂製の歯とを有する下駄であって、金属製の本体は、足で踏む踏み面を有するとともに、その周囲に垂れ下がる縁を持つ半殻構造を有しており、かつまた、チタン又はアルミニウム又はマグネシウム若しくはその合金類を素材とする軽量なもので、表面に、金属素材を加工して形成した模様を有しており、また木製又は樹脂製の歯は、金属製の本体に取り付けるか或いは金属製の本体に結合する板部に取り付けた構成を有する下駄。
【請求項２】
金属素材に対する加工は、チタン系に対して、陽極酸化又は熱処理による着色処理、ツチ目、溶接又はエッチングによる表面処置、塗装などから成る請求項１記載の下駄。
【請求項３】
金属素材に対する加工は、アルミニウム系に対して、アルマイト加工、塗装などから成る請求項１記載の下駄。
【発明の詳細な説明】
【０００１】
【発明の属する技術分野】
本発明は、金属製の本体と木製又は樹脂製の歯とを有する下駄に関するものである。
【０００２】
【従来の技術】
伝統的な履き物である下駄にも工夫や改良は加えられており、例えば実開昭５２−１２２１５３号、同６２−１２０８０１号、同６３−２９４０１号等などを挙げることができる。これらに共通するように見えるのは、下駄の歯又はその一部を別部材として交換可能にした点であり、これらの工夫、改良の成果は、１足の下駄の本体の使用可能な時間を延長する結果をもたらす。しかし、下駄は履物の主役では既になく、気分によって履いても履かなくても良い方の種類に属するから、寿命延長に余り意味はなく、仮に歯が擦り減れば放置される運命にあると考えられる。
【０００３】
それゆえ、歯が擦り減っても使い続けたいという魅力を下駄が有していることが重要である。この意味では、従来、下駄に美的処理を施した工芸品が見られたが、工芸品には前記のような工夫、改良を加えたものが少なく、また実用性が高いとはいえない。
【０００４】
【発明が解決しようとする課題】
本発明は前記の点に着目してなされたもので、その課題は、実用性と趣味性を兼ね備えた下駄を提供することである。また本発明の他の課題は、軽量で衛生的な、かつ長年の使用に堪える下駄を提供することである。
【０００５】
【課題を解決するための手段】
前記の課題を解決するため本発明の下駄は、金属製の本体は、足で踏む踏み面を有するとともに、その周囲に垂れ下がる縁を持つ半殻構造を有しており、かつまた、チタン又はアルミニウム又はマグネシウム若しくはその合金類を素材とする軽量なもので、表面に、金属素材を加工して形成した模様を有している。金属製の本体は、金属素材、特に板材を塑性加工するとか接合する等の金属加工によって形成されるほか、ダイキャスト方法によって鋳造することも可能である。
【０００６】
木製又は樹脂製の歯は、金属製の本体に取り付けるか或いは金属製の本体に結合する板部に取り付けるという構成を有しているものである。本発明の下駄は、足で踏む、或いは足を置く、踏み面を有する本体が金属製であること、及び本体に組み合わされる歯が木製であることを最小限度の要件とする。そうであるから、歯が本体にどのように組み合わされるか、については自由に選択することができ、歯は、従来の下駄の台と同様の板部に取り付ける形式（図１の例）でも、それだけを本体に取り付ける形式でも（図４の例）どちらでも良い。また歯が台と一体化して区別し難い構造のものも後者に含まれる（図５の例）。このため本発明は、木製下駄にかぶせる金属製の下駄カバーないしは外被として把握することもできる。
【０００７】
金属製の本体は、踏み面を有するとともに、その周囲に垂れ下がる縁を持つ半殻構造を有している。本発明でいう半殻構造とは、踏面と周囲の縁が組み合わさって形成されているものを指し、半分中空状或いは立体的な構造を持つものと考えて良い。半殻構造により、板状体よりも強度が格段と高められ、従来の下駄の台と同等以上の構造強度が備わるものになる。
【０００８】
金属製の本体は、また、チタン又はアルミニウム又はマグネシウム若しくはその合金類を素材とする軽量なものとする。このため、本体の下に従来の下駄と同様の構造を持つ台付きの歯を組み合わせても、重量の負担を感じないようにすることができる。
【０００９】
本体を構成する金属素材は、本発明の下駄に美的処理を施すために重要な素材であり、また素材には加工を加えることによって模様等が備わり、素材によって模様や柄、色調などが変化する。チタン系の金属素材に対しては、陽極酸化による着色、熱処理による着色、ツチ（槌）目などによる表面処理、溶接による表面処理、エッチングによる表面処理、などが施される。またアルミニウム系の金属素材に対しては、アルマイト加工、などが施される。
【００１０】
さらに木製の歯は、前記のように、金属製の本体に取り付けるか或いは金属製の本体に結合する板部に取り付けるかのどちらかの方法で設けられる。木製の歯が板部に取り付けられる場合、歯の補強のための手段を金属製の本体に設けることが望ましい。歯の補強手段としては、歯が板部に取り付けられる場合でも、本体の取り付けられる場合でも、金属製の本体に取り付けることが望ましい。
【００１１】
【発明の実施の形態】
以下図示の実施形態の例を参照して本発明をより詳細に説明する。図１及び図２には本発明に係る下駄１０の例１が分解状態で示されている。例１の下駄１０はチタンのプレートを加工して形成されており、踏み面１１と、その周囲に垂れ下がる縁１２とを持つ中殻構造の本体１３を有しているので、構造的に非常に強固である。本体１３は、その表面に陽極酸化による着色模様１４を有しており、またその表面に浅い凹凸構造１５を有している。着色模様１４は青、黄ないし茶と少なくとも３色の発色を持ち、凹凸構造１５は浅く、また足裏に対して滑り止めともなる。
【００１２】
例１の下駄１０は本体１１に組み合わされる下部構造１６を有しており、その板部１７に歯１８を取り付けた構成を有する。板部１７も歯１８も共に木製であり、歯部は釘状の結合子１９によって板部と一体化している。歯１８を設けた位置の板部１７には、補強手段としての軸体２１を嵌め込む軸孔２２が設けられている。軸体２１を軸孔２２に嵌め込むとともに接着剤を充填することにより両者を固定する。これと同時に、金属製の本体１３と下部構造１６の板部１７とを接着剤により固着すると、下駄１０を組み立てることができる。さらに本体１３及び下部構造１６に夫々形成されている通し穴２３、２４に鼻緒２５を付けると、下駄として使用できる状態になる。
【００１３】
図３には本発明に係る下駄の例２が示されている。例２の下駄２０はチタンのプレートを加工して形成した本体１３′を有し、かつまた本体１３′の外面に熱処理による着色面を有している点、及び下部構造１６′が板部１７′とそれに取り付けられている歯１８′とから成る点等において一致しているが、歯の補強手段として、歯１８′の側面端部と係合する係合保持部２１′、２２′を前後で左右各２個ずつ有している点で相違している。歯１８′の両側端部には、上記係合保持部２１′、２１′、２２′、２２′に係合する溝部２１″、２２″が切り込み状に設けられている。また、本体１３′を下部構造１６′に重ね合わせるときに、板部１７′から打ち込む釘状の結合子１９′は本体１３′の方に設けられている。
【００１４】
なお、本体１３′の側面にはアーチ形状２６をあらわすことによって装飾性を付与している。他の構成は、例１の場合と同様で良いので、例１の符号にダッシュ（′）を付して援用し、詳細な説明は省略する。
【００１５】
よって、結合子１９′を板部１７′に打ち込み、結合保持部２１′、２２′を溝部２１″、２２″に係合しかつ板部１７を本体下面に接着することにより、本体１３′と下部構造１６′とを結合する。さらに鼻緒２５を付けることにより、下駄として使用可能になる。
【００１６】
図４には本発明に係る下駄の例３が示されている。例３の下駄２０′は歯１８″だけを本体１３″に取り付ける形式であり、そのため歯１８″を着脱可能に差し込んで止める函状のソケット部２７が本体下面に設けられている。なおアーチ形状等の要素は設けられていない。他の構成は例１又は例２と同様でも良いの
で、例２の符号を援用し、詳細な説明は省略する。
【００１７】
図５には本発明に係る下駄の例４が示されている。例４の下駄３０はアルミニウム合金類をプレス加工又はダイキャストによって成形したもので、踏み面３１と、垂れ下がるやや深い縁３２とを有する半中殻構造の本体３３を持ち、下部構造３６は底のほぼ全面に及ぶ大きさの歯３８を持つ板部３７が形成されている。本体３３と下部構造３６との結合のための釘状の結合子３１は、例２と同様本体側に設けられており、本体３３と下部構造３６を結合する際に下部構造３６に打ち込まれる。他の構成は例１と同様で良いので符号を援用し説明を省略する。
【００１８】
例４のものにおいても、本体３３と下部構造３６とは結合子３９の打ち込み及び接着剤による固着によって一体化し、さらに通し穴２３、２４に鼻緒２５を付けることにより、下駄として使用可能になる。例４の場合、本体３３がアルミニウム合金類製であるから、塗装により色々な模様や色、柄等を表面に設けることが可能となる。
【００１９】
【発明の効果】
本発明は以上の如く構成されかつ作用するものであるから、チタン系の如く軽量かつ頑丈な金属素材を加工して形成した、模様を有する、実用性と趣味性とを兼ね備えた下駄を提供することができるものであり、足裏に接する金属素材より成る本体表面には細菌が繁殖せずかつ水洗いも容易であるため衛生的に使用することができ、このように価値の高い本体であるから、これを支える下部構造については、摩耗したなら本体から取り外して新品と交換することに意義があり、よって従来のものとは比較できないほど長期間に亘って使用できるという効果を奏する。
【図面の簡単な説明】
【図１】本発明に係る下駄の実施形態の例１を示す分解斜視図。
【図２】（ａ）同上の本体の縦断面図。
（ｂ）下部構造の側面図。
（ｃ）図１を組み合わせたものの下面図。
【図３】（ａ）本発明の例２の本体を示す縦断面図。
（ｂ）下部構造の側面図。
（ｃ）図３（ａ）、（ｂ）を組み合わせたものの下面図。
【図４】（ａ）本発明の例３の本体を示す縦断面図。
（ｂ）歯の下面図。
（ｃ）図４（ａ）、（ｂ）を組み合わせたものの下面図。
【図５】（ａ）本発明の例４の本体を示す縦断面図。
（ｂ）下部構造の斜視図。
【符号の説明】
１３、１３′、１３″、３３  本体
１４  着色模様
１５  凹凸構造
１６、１６′、３６  下部構造
１７、１７′、３７  板部
１８、１８′、１８″、３８  歯部
１９、１９′、３９  結合子
２１、２２、２１′、２２′  係合保持部
２５  鼻緒
【図１】
2004215995.tif 000003
【図２】
2004215995.tif 000004
【図３】
2004215995.tif 000005
【図４】
2004215995.tif 000006
【図５】
2004215995.tif 000007